(57)【特許請求の範囲】
【請求項１】
冷凍室（８）の後方側に形成されるモータマウント（３２）に固定される駆動モータ（３４）と、
前記駆動モータの回転軸（３６）に装着されて駆動モータ（３４）が駆動されると、回転されながら冷気が吸入される方向の軸方向に冷気を送風させると共に冷気が吸入される方向の半径方向に冷気を送風させる送風ファン（３８）と、
該送風ファン（３８）の円周方向に位置されるシュラウド（４０）と、
該シュラウド（４０）の前方側に形成されて、上記軸流ブレード（５２）により送風される冷気を冷凍室（８）に案内して、上記ターボブレード（５４）により送風される冷気を冷蔵室（１０）に案内するガイド手段とを具備し、
上記ガイド手段が、上記シュラウド（４０）の前方側に所定幅だけ延長されて上記送風ファン（３８）の前方側に形成されるガイドプレート（６０）と、該ガイドプレート（６０）の前方側に形成されて前記軸流ブレード（５２）により送風される冷気をガイドするガイドホール（６２）と、前記ガイドプレート（６０）の下方側面に形成されて上記ターボブレード（５４）により送風される冷気をガイドするガイドチャンネル（６４）とを具備することを特徴とする冷蔵庫用冷気送風装置。
【請求項２】
上記送風ファン（３８）は、
上記駆動モータの回転軸（３６）に固定されるハブ（５０）と、該ハブ（５０）の円周方向に所定間隔を置いて形成されて、冷気が吸入される方向の軸方向に冷気を送風させる軸流ブレード（５２）と、
該軸流ブレード（５２）の外側先端から延長形成されて、前記軸流ブレード（５２）により軸方向に吸入された冷気を半径方向に送風させるターボブレード（５４）と、を包含して構成されることを特徴とする請求項１記載の冷蔵庫用冷気送風装置。
【請求項３】
上記軸流ブレード（５２）は、上記ハブ（５０）の外側面に所定間隔を置いた３〜７個に形成されることを特徴とする請求項２記載の冷蔵庫用冷気送風装置。
【請求項４】
上記軸流ブレード（５２）は、所定曲率半径を有する曲面状に形成されて、前記送風ファンに吸入される冷気の方向と同様な方向に冷気を送風させる軸流ファン型に形成されることを特徴とする請求項２記載の冷蔵庫用冷気送風装置。
【請求項５】
上記ターボブレード（５４）は、上記軸流ブレード（５２）のブレードチップ（ＢＴ）とトレールリングエッジ（ＴＥ）間に形成されることを特徴とする請求項２記載の冷蔵庫用冷気送風装置。
【請求項６】
上記ターボブレード（５４）は、上記軸流ブレード（５２）の曲率に沿って延長形成されて、前記軸流ブレード（５２）と同一面を成すように形成されることを特徴とする請求項２記載の冷蔵庫用冷気送風装置。
【請求項７】
上記ターボブレード（５４）は、上記送風ファン（３８）に冷気が吸入される方向の半径方向に冷気を吐出させる遠心ターボファン型に形成されることを特徴とする請求項２記載の冷蔵庫用冷気送風装置。
【請求項８】
上記ガイドホール（６２）は、直径が前記軸流ブレードの外径と同様であるか又は大きく形成されることを特徴とする請求項１記載の冷蔵庫用冷気送風装置。
【請求項９】
上記ガイドチャンネル（６４）は、上記ターボブレードの幅と同様であるか又は大きく形成されることを特徴とする請求項１記載の冷蔵庫用冷気送風装置。
【発明の詳細な説明】
【０００１】
【発明の属する技術分野】
本発明は、冷蔵庫に使用される冷気送風装置に係るもので、詳しくは、風量を増大させると共に騷音を低減させて冷蔵庫の効率を向上し得る冷蔵庫用冷気送風装置に関するものである。
【０００２】
【従来の技術】
一般に、冷蔵庫は、冷凍食品を保管する冷凍室と冷蔵食品を保管する冷蔵室に分離されていて、その内部には、冷凍室及び冷蔵室に冷気を供給する冷凍サイクルが備えられている。
現在、冷蔵庫は、大容量で、食物を新鮮な状態に長期間保管するために内部温度を均一に維持させることが必須であるので、冷蔵室の色々な方向から冷気を吐出させる方式が適用されているので、冷気を冷蔵室の各方向に案内するための冷気流路が長く複雑になる傾向を見せている。
【０００３】
従来の冷蔵庫においては、図８に示したように、食品が貯蔵される所定空間を有して前方側にドアー１０２が開閉自在に装着される本体１０４と、該本体１０４の上方側に形成されて冷凍食品を貯蔵する冷凍室１０６と、該冷凍室１０６及びバリアー１０８により区画されて、本体１０４の下方側に形成されて冷蔵食品を貯蔵する冷蔵室１１０と、前記冷凍室１０６の後方側に装着されて冷媒との熱交換により冷気を提供する熱交換器１１２と、該熱交換器１１２を通過して発生された冷気を前記冷凍室１０６及び冷蔵室１１０に供給する冷気供給装置と、を包含して構成されていた。
【０００４】
又、上記冷気供給装置においては、上前記冷凍室１０６の後方側に装着されて冷気が流入される方向の軸方向に送風させる軸流ファン１１４と、該軸流ファン１１４により送風される冷気を冷凍室１０６に吐出させる吐出口１１６が形成されるグリルファン１１８と、該グリルファン１１８の下方側に連結されて前記軸流ファン１１４から送風される冷気を冷蔵室１１０に供給する供給通路１２０と、該供給通路１２０と連結されて、前記冷蔵室１１０の後方側及び側面に一つ以上形成されて前記冷蔵室１１０に冷気を吐出させる複数の冷気吐出口１２２を有する冷気ダクト１３２と、を包含して構成される。
【０００５】
又、上記軸流ファン１１４は、上記駆動モータ１２４の回転軸１２６に固定され、前記駆動モータ１２４は、上記グリルファン１１８の内方側に形成されるモータマウント１２８に固定され、前記モータマウント１２８の円周方向にはシュラウド１３０が形成される。
又、上記供給通路１２０は、上記シュラウドとグリルファン間に形成され、上記軸流ファンから送風される冷気を冷蔵室及び冷凍室に分配する分配通路１５０の下方側に連結されて上記バリアー１０８に形成され、上記軸流ファン１１４から送風される冷気を冷気ダクト１３２に供給する通路役割を果たす。
【０００６】
又、上記バリアー１０８には、上記冷凍室１０６の冷却作用を完了した冷気が熱交換器１１２に吸入される吸入通路１３４と、上記冷蔵室１１０の冷却作用を完了した冷気が熱交換器１１２に吸入される吸入通路１３６と、が備えられる。
且つ、従来の軸流ファン１１４においては、図１０に示したように、上記駆動モータ１２４の回転軸１２６に連結されて駆動モータ１２４の駆動力を受けるハブ１５２と、該ハブ１５２の外周面に所定間隔を置いて装着されて送風力を発生する複数のブレード１５４と、を包含して構成される。
又、上記ブレード１５４は、上記ハブ１５２の外周面から所定曲率を有する曲面状に延長されて、通常、４個に形成される。
このように構成された軸流ファン１１４は、通常、冷気を吸入される方向の軸方向に送風させる。
【０００７】
以下、このように構成された冷蔵庫の動作に対し、説明する。
駆動モータ１２４の駆動により軸流ファン１１４が回転すると、熱交換器１１２を通過した冷気が分配通路に送風されて、前記分配通路からグリルファン１１８の吐出口１１６を通って冷凍室１０６に吐出されると共に供給通路１２０に供給される。
又、上記冷凍室１０６に吐出された冷気は、冷凍室１０６を循環しながら冷却作用を遂行した後、吸入通路１３４を通って熱交換器１１２に吸入される。
又、上記供給通路に流入された冷気は、冷気ダクト１３２に供給されて、該冷気ダクト１３２に形成された複数の吐出口１２２を通って冷蔵室１１０に吐出されて冷蔵室１１０を循環しながら冷却作用を遂行した後、吸入通路１３６を通って熱交換器１１２に吸入される。
【０００８】
【発明が解決しようとする課題】
然るに、このような従来の冷蔵庫の冷気送風装置においては、軸流ファンから冷気が吸入される方向の軸方向に送風されるために、冷凍室に供給される冷気は、グリルファンの吐出口が軸方向に連結されて送風が円滑に行われるが、前記冷気が送風される方向の直角方向に連結される供給通路に供給される冷気は、流路抵抗が発生することで、冷蔵室に供給される冷気量が相対的に少なくなって冷蔵室の冷却作用を円滑に行うことができないという不都合な点があった。
特に、現在使用される冷蔵庫は、大型化される趨勢に従って冷気が供給される供給通路が長く複雑に構成されるため、冷気の流動に流路抵抗が発生するという不都合な点があった。
【０００９】
このような高い流路抵抗下で冷気を円滑に且つ迅速に循環させるためには、軸流ファンの直径を大きくするか又は回転数を増大させなければならない。
併し、軸流ファンの直径を大きくする場合には、冷蔵庫全体の大きさが大きくなることで、騷音が発生し、回転数を増大させる場合にも騷音が増大するために、騷音により冷蔵庫の品質が低下するという不都合な点があった。
特に、長時間運転時に熱交換器に霜が生じると、騷音は、一層大きくなり、かつ風量は少なくなって冷蔵室に貯蔵された食品の新鮮度が低下するという不都合な点があった。
【００１０】
本発明は、このような従来の課題に鑑みてなされたもので、冷気が吸入される方向の軸方向に送風される冷気を送風させると共に冷気が吸入される方向の半径方向に冷気を送風させることで、長くて複雑な冷気流路構造でも円滑に且つ迅速に冷気を循環し得る冷蔵庫の冷気送風装置を提供することを目的とする。
又、軸流ファンの直径及び回転数を増大させることなく、冷蔵室及び冷凍室に供給される冷気量を増大すると共に騷音を低減し、且つ送風効率を増大させて冷蔵庫の品質を向上し得る冷蔵庫用冷気送風装置を提供することを目的とする。
【００１１】
【課題を解決するための手段】
請求項１に記載の本発明は、冷凍室の後方側に形成されるモータマウントに固定される駆動モータと、前記駆動モータの回転軸に装着されて駆動モータが駆動されると、回転されながら冷気が吸入される方向の軸方向に冷気を送風させると共に冷気が吸入される方向の半径方向に冷気を送風させる送風ファンと、該送風ファンの円周方向に位置されるシュラウドと、該シュラウドの前方側に形成されて、上記軸流ブレードにより送風される冷気を冷凍室に案内して、上記ターボブレードにより送風される冷気を冷蔵室に案内するガイド手段とを具備し、上記ガイド手段が、上記シュラウドの前方側に所定幅だけ延長されて上記送風ファンの前方側に形成されるガイドプレートと、該ガイドプレートの前方側に形成されて前記軸流ブレードにより送風される冷気をガイドするガイドホールと、前記ガイドプレートの下方側面に形成されて上記ターボブレードにより送風される冷気をガイドするガイドチャンネルとを具備することを特徴とする冷蔵庫用冷気送風装置を要旨とする。
【００１２】
又、上記送風ファンにおいては、上記駆動モータの回転軸に固定されるハブと、該ハブの円周方向に所定間隔を置いて形成されて冷気が吸入される方向の軸方向に冷気を送風させる軸流ブレードと、該軸流ブレードの外側先端から延長して形成されて、前記軸流ブレードにより軸方向に吸入された冷気を半径方向に送風させるターボブレードと、を包含して構成されることを特徴とする。
又、上記軸流ブレードは、上記ハブの外側面に所定間隔を置いた３〜７個に形成されることを特徴とする。
【００１３】
又、上記軸流ブレードは、所定曲率半径を有する曲面状に形成されて、上記送風ファンに吸入される冷気の方向と同様の方向に冷気を送風させる軸流ファン型に形成されることを特徴とする。
又、上記ターボブレードは、上記軸流ブレードのブレードチップとトレールリングエッジ間に形成されることを特徴とする。
又、上記ターボブレードは、上記軸流ブレードの曲率に沿って延長形成されて前記軸流ブレードと同一面を成すように形成されることを特徴とする。
又、上記ターボブレードは、上記送風ファンに冷気が吸入される方向の半径方向に冷気を吐出させる遠心ターボファン型に形成されることを特徴とする。
【００１４】
又、本発明に係る冷蔵庫の冷気送風装置においては、冷凍室の後方側に形成されるモータマウントに固定される駆動モータと、該駆動モータの回転軸に装着されて駆動モータが駆動されると、回転されながら冷気が吸入される方向の軸方向に冷気を送風させると共に冷気が吸入される方向の半径方向に冷気を送風させる送風ファンと、該送風ファンの円周方向に位置されるシュラウドと、該シュラウドの前方側に形成されて前記軸流ブレードにより送風される冷気を冷凍室に案内して、前記ターボブレードにより送風される冷気を冷蔵室に案内するガイド手段と、を包含して構成されることを特徴とする。
【００１５】
又、上記ガイド手段は、上記シュラウドの前方側に所定幅だけ延長されて上記送風ファンの前方側に形成されるガイドプレートと、該ガイドプレートの前方側側に形成されて前記軸流ブレードにより送風される冷気を案内するガイドホールと、前記ガイドプレートの下方側面に形成されて前記ターボブレードにより送風される冷気をガイドするガイドチャンネルと、を包含して構成されることを特徴とする。
又、上記ガイドホールは、その直径が上記軸流ブレードの外径と同様であるか又は大きく形成されることを特徴とする。
又、上記ガイドチャンネルは、上記ターボブレードの幅と同様であるか又は大きく形成されることを特徴とする。
【００１６】
【発明の実施の形態】
以下、本発明の実施の形態に対し、図面を用いて説明する。
本発明に係る冷蔵庫においては、図１及び図２に示したように、食品が貯蔵される所定空間を有して開放される前方側に、冷凍室ドアー２及び冷蔵室ドアー４が夫々開閉自在に装着される本体６と、該本体６の上方側に形成されて冷凍食品を貯蔵する冷凍室８と、該冷凍室８及びバリアー１２により区画されて、本体６の下方側に形成されて冷蔵食品を貯蔵する冷蔵室１０と、前記冷凍室８の後方側に装着されて冷媒との熱交換により冷気を提供する熱交換器１４と、該熱交換器１４を通過しながら発生された冷気を前記冷凍室８及び冷蔵室１０に供給する冷気供給装置と、を包含して構成されている。
【００１７】
又、上記冷気供給装置においては、上記冷凍室６の後方壁面に付着されて、上記熱交換器１４を通過しながら冷却された空気を強制的に循環させる冷気送風装置２０と、該冷気送風装置２０により送風される冷気を冷凍室８に吐出させる吐出口２２が形成されるグリルファン２４と、前記バリアー１２に形成されて前記冷気送風装置により送風される冷気を冷蔵室１０に供給する供給通路２６と、該供給通路２６と連結されて前記冷蔵室１０に冷気を吐出させる複数の吐出口３０を有して前記冷蔵室１０の後方及び側面に一つ以上形成される冷気ダクト２８と、を包含して構成される。
【００１８】
又、上記冷気送風装置２０においては、図２に示したように、上記グリルファン２４の後方側に形成されるモータマウント３２に固定される駆動モータ３４と、該駆動モータ３４の回転軸３６に装着されて前記駆動モータ３４が駆動されると、回転されながら冷気を送風させる送風ファン３８と、前記モータマウント３２と一体に形成されて、前記送風ファン３８の円周方向に位置されるシュラウド４０と、を包含して構成される。
ここで、上記モータマウント３２には、上記熱交換器１４を通過した冷気が吸入される吸入流路４２が形成されて、前記シュラウド４０とグリルファン２４間には前記送風ファン３８から送風される冷気が冷蔵室８及び冷凍室１０に分配される分岐空間４６が備えられる。
【００１９】
本発明に係る送風ファンにおいては、図３に示したように、上記駆動モータ３４の回転軸３６に固定されるハブ５０と、該ハブ５０の円周方向に所定間隔を置いて形成されて冷気を吸入される方向の軸方向に送風させる軸流ブレード５２と、該軸流ブレード５２の外側先端に形成されて軸方向に流入される冷気の流動を半径方向に転換させて送風させるターボブレード５４と、を包含して構成されている。
又、上記軸流ブレード５２においては、最外側を形成する面であるブレードチップＢＴと、前方側に所定曲率半径を有する曲面に形成される側面であるトレールリングエッジＴＥと、後方側に所定曲率半径を有する曲面に形成される側面であるリーディングエッジＬＥと、を包含して形成される。
【００２０】
このように構成された軸流ブレード５２は、冷気を吸入される方向の軸方向に送風させるものであって、通常的な軸流ファン型に形成されて、数は３〜７に形成されることが好ましい。
又、上記ターボブレード５４は、上記軸流ブレード５２のトレールリングエッジＴＥとブレードチップＢＴ間に所定曲面形態に延長される。又、上記ターボブレード５４は、上記軸流ブレードの曲率を沿って継ぎ手のない滑らかな形態に連結される。
このように構成されたターボブレード５４は、冷気を吸入される方向の半径方向に送風させるものであって、通常的な遠心ターボファンのブレードと同様な形態に形成されることが好ましい。
【００２１】
又、上記送風ファン３８は、上記シュラウド４０に装着される時に、軸流ブレード５２の幅を基準に中間部分が上記シュラウド４０の内方側であるモータマウント３２の内方側に位置され、上記ターボブレード５４は、シュラウド４０の外側に位置されるようにして回転時のシュラウド４０との干渉を防止する。
このように構成される前記送風ファン３８は、軸流ブレード５２の回転により軸流ファンから発生する効果とターボブレード５４の回転により遠心ターボファンから発生する効果とを同時に発揮することができる。
以下、このように構成される本発明に係る冷蔵庫の冷気送風装置の動作に対し、説明する。
【００２２】
先ず、冷蔵庫に電源が印加されると、熱交換器１４が作動されると共に送風ファン３８が駆動されると、熱交換器１４を通過した冷気が送風ファン３８の駆動により冷凍室８及び冷蔵室１０に夫々供給される。
即ち、上記送風ファン３８の軸流ブレード５２の回転により冷気が送風される方向の軸方向に送風されて分岐空間４６に流入され、該分岐空間４６に流入された冷気中の一部は、上記グリルファン２４に形成された吐出口２２を通って冷凍室８に吐出されて冷凍室８の冷却作用を遂行し、送風される冷気中の一部は、上記ターボブレード５４の回転により半径方向に流動が転換される。
【００２３】
即ち、上記分岐通路４６に流入された冷気中の一部は、上記ターボブレード５４の回転により冷気が送風される方向の半径方向に送風されて前記分岐空間４６の下方側を通って上記供給通路２６に供給され、該供給通路２６に供給された冷気は、冷蔵室１０の冷気ダクト２８に形成された複数の吐出口３０を通って冷蔵室１０に吐出されて前記冷蔵室１０の冷却作用を遂行する。
【００２４】
本発明に係る冷蔵庫の冷気送風装置の第２実施形態においては、図４に示したように、グリルファン２４の後方側に形成されるモータマウント３２と、該モータマウント３２に固定される駆動モータ３４と、該駆動モータ３４の回転軸３６に固定されるハブ５０と、該ハブ５０の外側円周方向に形成される複数の軸流ブレード５２と、該軸流ブレード５２の外側先端から延長されるターボブレード５４とで構成される送風ファン３８と、前記モータマウント３２と一体に形成されて、前記送風ファン３８の円周方向に形成されるシュラウド４０と、該シュラウド４０の前方側に形成されて前記軸流ブレード５２により送風される冷気を冷凍室に案内すると共に前記ターボブレード５４により発生する冷気を冷蔵室に案内するガイド手段と、を包含して構成されている。
【００２５】
又、上記ガイド手段においては、上記シュラウド４０の前方側に所定幅だけ延長されて上記送風ファン３８の前方側の分岐空間４６上に形成されるガイドプレート６０と、該ガイドプレート６０の前方側に形成されて上記軸流ブレード５２により送風される冷気を案内するガイドホール６２と、前記ガイドプレート６０の下方側面に形成されて上記ターボブレード５４により送風される冷気をガイドするガイドチャンネル６４と、を包含して構成される。
ここで、上記ガイドホール６２の直径は、上記軸流ブレード５２の外径と同様であるか又は大きく形成されることが好ましく、上記ガイドチャンネル６４の直径は、上記ターボブレード５４の幅と同様であるか又は大きく形成されることが好ましい。
【００２６】
このように構成された第２実施形態に係る冷気送風装置は、駆動モータ３４の駆動により送風ファン３８が回転すると、軸流ブレード５２により吸入される方向の軸方向に送風される冷気は、上記ガイドホール６２を通過して上記グリルファン２４の吐出口２２を通って冷凍室８に吐出されて冷却作用を行う。
又、上記ターボブレード５４により吸入される方向の半径方向に送風される冷気は、上記ガイドチャンネル６４を通過して供給通路に案内されて、上記供給通路２６に流入された冷気は、冷蔵室１０に形成された冷気ダクト２８の吐出口３０を通って冷蔵室１０に吐出されて冷却作用を行う。
【００２７】
本発明に係る送風ファン３８は、図５に示したように、軸流ブレード５２による軸流ファンの圧力、風量特性曲線及びターボブレード５４によるターボファンの圧力及び風量特性曲線を同時に追求し得る圧力及び風量特性曲線Ｃを得ることができる。
このような特性曲線に示したように、軸流ファンの特性とターボファンの特性とを同時に得ることができる。
【００２８】
図６は、本発明に係る送風ファンと従来の軸流ファンの冷気流路抵抗変化時の風量及び正圧変化を比較したグラフである。
図６に示したように、冷気流路抵抗が曲線Ｅから曲線Ｆに変化される場合に、従来の軸流ファンＨは、風量がＬだけ減少することに比べて、本発明の送風ファンＣは、風量がＭだけ減少することから、本発明に係る送風ファンが従来の軸流ファンに比べて風流減少幅が小さいことが分かる。
【００２９】
本発明に係る送風ファンの風量増加による騷音発生及び従来の軸流ファンの風量増加による騷音発生は、図７に示したように、基本風量で、従来の軸流ファンＯから発生する騷音は、約３．６ｄＢ程度で、本発明に係る送風ファンＰから発生する騷音は、約１．８ｄＢ程度であるので、本発明に係る送風ファンＰが従来の軸流ファンＯに比べて騷音を約１．８ｄＢ程度低減させることが分かる。
又、風量を４０％程度上昇させる場合に、従来の軸流ファンＯの騷音は、約１０．６ｄＢ程度で、本発明に係る送風ファンＰの騷音は、約５．２ｄＢ程度であることから本発明に係る送風ファンが従来の軸流ファンに比べて５．４ｄＢ程度の騷音を低減し得ることが分かる。
【００３０】
【発明の効果】
以上説明したように、本発明に係る冷蔵庫の冷気送風装置においては、冷蔵室及び冷凍室に冷気を送風させる送風ファンを、冷気が送風される方向の軸方向に送風させる軸流ブレード及び冷気が送風される方向の半径方向に送風させるターボブレードにより構成して冷凍室及び冷蔵室に夫々冷気を供給することで、長くて複雑な冷気流路構造でも円滑で且つ迅速に冷気を循環し得るという効果がある。
又、送風ファンを軸流ファン型とターボファン型とを一体に構成して軸流ファンの特性とターボファンの特性とを同時に発揮させることで、風量を増加させると共に騷音を低減し得るので、冷蔵庫の性能を向上し得るという効果がある。
【図面の簡単な説明】
【図１】本発明に係る冷蔵庫を示した断面図である。
【図２】本発明に係る冷蔵庫の冷気送風装置の第１実施形態を示した部分断面図である。
【図３】本発明に係る冷蔵庫の送風ファンを示した正面図である。
【図４】本発明に係る冷蔵庫の冷気送風装置の第２実施形態を示した部分断面図である。
【図５】本発明に係る冷気送風装置の送風ファンの圧力及び風力及び風量特性曲線を示したグラフである。
【図６】本発明に係る送風ファン及び従来の軸流ファンの流路抵抗変化による風量変化を示したグラフである。
【図７】本発明に係る送風ファン及び従来の軸流ファンの送風による騷音量を示したグラフである。
【図８】従来の冷蔵庫を示した断面図である。
【図９】従来の冷蔵庫の冷気送風装置を示した部分断面図である。
【図１０】従来の冷蔵庫の軸流ファンを示した正面図である。
【符号の説明】
２…冷凍室ドアー
４…冷蔵室ドアー
６…本体
８…冷凍室
１０…冷蔵室
１２…バリアー
１４…熱交換器
２０…送風装置
２２…吐出口
２４…グリルファン
２６…供給流路
２８…冷気ダクト
３０…吐出口
３２…モータマウント
３４…駆動モータ
３６…回転軸
３８…送風ファン
４０…シュラウド
４６…分岐空間
５０…ハブ
５２…軸流ブレード
５４…ターボブレード
６０…ガイドプレート
６２…ガイドホール
６４…ガイドチャンネル
【図１】
0003637021.tif 000002
【図２】
0003637021.tif 000003
【図３】
0003637021.tif 000004
【図４】
0003637021.tif 000005
【図５】
0003637021.tif 000006
【図６】
0003637021.tif 000007
【図７】
0003637021.tif 000008
【図８】
0003637021.tif 000009
【図９】
0003637021.tif 000010
【図１０】
0003637021.tif 000011